(57)【特許請求の範囲】
【請求項１】
上面に開口部を有し外郭を構成する箱状の本体と、前記本体の上面を覆い被加熱調理容器が載置される天板と、前記天板の下方に位置し前記被加熱調理容器を加熱する加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、前記本体前方に設けられた吸気口と、前記本体後方天面に設けられ、前記加熱コイルおよび前記制御基板を冷却した冷却風を排気する排気口と、を備え、さらに、前記基板カバー上に設けられた箱状の浸水防壁を備え、左右方向かつ前記浸水防壁上面から下方に向かって形成され、前記基板カバーとの間に所定の間隔を設けて突出する主壁と、前記主壁前方に所定の間隔を設けて左右方向に形成され、前記主壁と前記浸水防壁上面に垂直に対向した前壁と、前記前壁の前記主壁端より上方に形成され、前記加熱コイルから前記排気口へと連通する前方開口と、前記主壁後方に所定の間隔を設けて左右方向に形成され、前記主壁と前記浸水防壁上面に垂直に対向した後壁と、前記前方開口から前記排気口へと連通する前記後壁の前記主壁端より上方に形成された後方開口と、前記主壁の左右端部の少なくとも一方と所定の間隔を設けて前後方向に形成される側壁と、で構成される前記浸水防壁を、前記排気口下方前方に配した誘導加熱調理器。
【請求項２】
前記基板カバー後方の前記排気口側に前記基板カバー上面より低い位置に、前記浸水防壁を取り付けるための取り付け面を形成し、前記取り付け面に、前記浸水防壁を前記排気口下方前方に配した請求項１に記載の誘導加熱調理器。
【請求項３】
前記浸水防壁の前記主壁端面に前記基板カバーと対向するように後方に伸びるフランジを設けた請求項１に記載の誘導加熱調理器。
【請求項４】
前記本体後方に、商用電源を入力とし制御回路に直流定電圧を供給するスイッチング電源基板をもつ電源基板ユニットを備え、前記浸水防壁の前記側壁は前記本体後面近くまで張り出し、前記電源基板ユニットが前記排気口から覗かれないように覆うように構成した請求項１に記載の誘導加熱調理器。
【請求項５】
前記浸水防壁の前記側壁端部に前記本体後面に対向するようなフランジを設けた請求項４に記載の誘導加熱調理器。
【請求項６】
前記天板を支持するためのフレームを備え、前記フレームに前記排気口を設け、前記排気口を構成する際に形成されるフレームフランジの延長ラインよりも上に前記浸水防壁の前記後方開口の開口端を設けた請求項１に記載の誘導加熱調理器。
【請求項７】
前記本体底面に、前記本体内の水を前記本体外に逃がすための水抜き穴を備え、前記浸水防壁の前記後壁に前記浸水防壁内の水を逃がすための切欠きを設けた請求項１に記載の誘導加熱調理器。
【発明の詳細な説明】
【技術分野】
【０００１】
本発明は、誘導加熱調理器に関するものである。
【背景技術】
【０００２】
図６は従来の誘導加熱調理器の斜視図を示すものである。従来の誘導加熱調理器は、本体１と、本体１の天面に配された被加熱調理器具を載置する天板２と、天板２を保持するためのフレーム３と、天板２の下方に設けられた左右加熱コイル４ｂおよび４ａと、加熱を制御する制御基板５と、制御基板５上方に設置され、加熱コイル４を保持するための基板カバー６と、本体１前方および右加熱コイル４ａ下方に設けられた加熱コイル４と制御基板５を冷却するための冷却ファン７と、冷却風を供給するために本体１前方に設けられた吸気口８と、本体１後方の天面上に設けられ加熱コイル４および制御基板５の冷却風を排気する左右の排気口９ｂと９ａを備え、排気口９から浸入する水を本体内に流入することを防ぐ立壁１０が基板カバー６上に構成されている。
【０００３】
しかしながら、上記構成では、排気口９から本体１内への水浸入を防ぐことはできるが、右加熱コイル４ａの冷却風の効率のよい排気を妨げており、結果、右加熱コイル４ａの冷却風のほとんどが左加熱コイル４ｂの後方に配された排気口９ｂへ排気されており、冷却効率に問題があった。
【０００４】
冷却効率と排気口からの水の浸入防止とを両立させている例としては特許文献１がある。
図７は特許文献１に記載された従来の組込式誘導加熱調理器の要部断面図を示すものである。従来の組み込み式誘導加熱調理器は、本体１と、本体１に配設され流し台１１の上面に位置する排気口９と、排気口９に相対する外郭内部位置の下壁１ａに垂直な立壁１０ａを設け、さらに本体内部側下壁１ａに相対する位置に併設した天壁１ｂに垂直な立壁１０ｂを設け、一定の体積を有する箱部１２を構成している。
【０００５】
上記構成にしたことにより、使用者が鍋等に入った水を流し台１１の奥壁１１ａ方向に勢いよくこぼし、そのはね返りで水が排気口９に向かって浸入しようとしても、立壁１０ａがそれを防ぎ、浸水の一部が立壁１０ａ上端を飛び越えた際にも、立壁１０ｂによってこれをブロックし、本体内に設けられている制御基板５への直接の被水を防止し、さらに浸入した水を箱部１２に溜めることによって、流入による制御基板５裏面等への水の付着を防止した後、万一大量に本体内に溢水した際に、箱部１２に溜める許容値を越えるまえに、本体に設けた開口部によって流し台内に浸入した水を逃がし、制御基板５裏面等への水の付着を防止することができるが、上記構成では、水浸入防止のための壁は本体外郭にもうけられており、トップ部を薄型にすることができなかった。
【０００６】
トップ部を薄型にし、かつ水の浸入と冷却効率を両立させた例としては特許文献２のようなものがある。図８は特許文献２に記載された従来の組込式誘導加熱調理器を示す要部断面図である。天板２と天板２を下方から支持する支持体１４と天板２の端面部を覆設するフレーム３と本体１とを備え、支持体１４の側壁には排気口９Ａを設けて、さらにフレーム３にも排気口９Ａに対応する位置に排気口９Ｂを設けた構成により、薄型のトップ構成で溢水、冷却性能を両立させ、かつ天板２の空間が広く保つことができる。
【０００７】
しかしながら、上記構成であっても、流し台と天板との凹凸は大きく、また据置等の誘導加熱調理器の場合は設置寸法制約が大きく本体外に排気構成をつけることが困難となる。また、本体天面に排気口を有した場合、冷却性能を確保するためには単に壁を立てれば
よいというものではなくなる。
【先行技術文献】
【特許文献】
【０００８】
【特許文献１】特開平１１−３５４２６３号公報
【特許文献２】特開２００５−２６５２０９号公報
【発明の概要】
【発明が解決しようとする課題】
【０００９】
本発明は、前記従来の課題を解決するもので、制約のある設置状態で、本体内への水の浸入による内部部品の水濡れによる故障やトラッキングを防止する機能を損なうことなく、冷却効率性能を高めた、冷却性能と溢水性能との両立の確保した信頼性の高い誘導加熱調理器を提供することを目的とする。
【課題を解決するための手段】
【００１０】
前記従来の課題を解決するために、本発明の誘導加熱調理器は、上面に開口部を有し外郭を構成する箱状の本体と、前記本体の上面を覆い被加熱調理容器が載置される天板と、前記天板の下方に位置し前記被加熱調理容器を加熱する加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、前記本体前方に設けられた吸気口と、前記本体後方天面に設けられ前記加熱コイルおよび前記制御基板を冷却した冷却風を排気する排気口と、を備え、さらに、前記基板カバー上に設けられた箱状の浸水防壁を備え、左右方向かつ前記浸水防壁上面から下方に向かって形成され、前記基板カバーとの間に所定の間隔を設けて突出する主壁と、前記主壁前方に所定の間隔を設けて左右方向に形成され、前記主壁と前記浸水防壁上面に垂直に対向した前壁と、前記前壁の前記主壁端より上方に形成され、前記加熱コイルから排気口へと連通する前方開口と、前記主壁後方に所定の間隔を設けて左右方向に形成され、前記主壁と前記浸水防壁上面に垂直に対向した後壁と、前記前方開口から前記排気口へと連通する前記後壁の前記主壁端より上方に形成された後方開口と、前記主壁の左右端部の少なくとも一方と所定の間隔を設けて前後方向に形成される側壁と、で構成される前記浸水防壁を、前記排気口下方前方に配置する構成としている。
【００１１】
上記構成により、本体天面上に設けられた排気口から水が浸入した際でも、浸水防壁の主壁、前壁、後壁によって水が本体内に流入を防止できる。さらに、主壁の左右端部と所定の間隔を設けて前後方向に側壁を形成させただけではなく、主壁下方端部と浸水防壁をとりつける基板カバーとの間にも間隔を設けた構成により、加熱コイルの冷却風の排気誘導路面積を大きく確保することができるため、冷却効率が高い誘導加熱調理器を提供することができる。
【発明の効果】
【００１２】
本発明の誘導加熱調理器は、本体天面に設けられた排気口から水が浸入した際でも、浸水防壁により水が本体内に流入するのを防ぐため、内部部品および充電部の水濡れによる故障や感電、トラッキングを防ぐことができ、かつ、浸水防壁は排気誘導路を確保しているため、冷却効率を高めることができ、冷却性能と溢水性能とを両立した信頼性の高い誘導加熱調理器を提供することができる。
【図面の簡単な説明】
【００１３】
【図１】本発明の実施形態１における誘導加熱調理器の全体構成図
【図２】本発明の実施形態１における誘導加熱調理器の浸水防壁の要部構成図
【図３】本発明の実施形態２における誘導加熱調理器の要部構成図
【図４】本発明の実施形態３における誘導加熱調理器後方の断面図
【図５】本発明の実施形態４における誘導加熱調理器の浸水防壁の断面図
【図６】従来の誘導加熱調理器の斜視図
【図７】特許文献１に記載された従来の組込式誘導加熱調理気の要部断面図
【図８】特許文献２に記載された従来の組込式誘導加熱調理器の要部断面図
【発明を実施するための形態】
【００１４】
第１の発明は、上面に開口部を有し外郭を構成する箱状の本体と、前記本体の上面を覆い被加熱調理容器が載置される天板と、前記天板の下方に位置し前記被加熱調理容器を加熱する加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、前記本体前方に設けられた吸気口と、前記本体後方天面に設けられ、前記加熱コイルおよび前記制御基板を冷却した冷却風を排気する排気口と、を備え、さらに、前記基板カバー上に設けられた箱状の浸水防壁を備え、左
右方向かつ前記浸水防壁上面から下方に向かって形成され、前記基板カバーとの間に所定の間隔を設けて突出する主壁と、前記主壁前方に所定の間隔を設けて左右方向に形成され、前記主壁と前記浸水防壁上面に垂直に対向した前壁と、前記前壁の前記主壁端より上方に形成され、前記加熱コイルから前記排気口へと連通する前方開口と、前記主壁後方に所定の間隔を設けて左右方向に形成され、前記主壁と前記浸水防壁上面に垂直に対向した後壁と、前記前方開口から前記排気口へと連通する後壁の前記主壁端より上方に形成された後方開口と、前記主壁の左右端部の少なくとも一方と所定の間隔を設けて前後方向に形成される側壁と、で構成される前記浸水防壁を、前記排気口下方前方に配置したことにより、本体天面に設けられた排気口から水が浸入した際でも、浸水防壁の主壁により水が本体内に流入することを防止するため、内部部品および充電部の水濡れによる故障や感電、トラッキングを防ぐことができる。また、浸水防壁の主壁左右端部の少なくともどちらか一方と側壁との間に所定の間隔を設け、さらに、主壁下方端部と基板カバーとの間にも所定の間隔を設けることで、加熱コイルを冷却した冷却風の排気誘導路面積を大きく確保することができ、加熱コイルの冷却風排気を妨げることがないので、冷却効率も高めることができる。よって、冷却性能と溢水性能とを両立した信頼性の高い誘導加熱調理器を提供することができる。
【００１５】
第２の発明は、特に第１の発明の前記基板カバー後方の前記排気口側に前記基板カバー上面より低い位置に、前記浸水防壁を取り付けるための取り付け面を形成し、前記取り付け面に、前記浸水防壁を前記排気口下方前方に配したことにより、主壁の高さは変えずとも、浸水防壁の主壁端面と基板カバーとの間の間隔をさらに大きくすることができるため、加熱コイルの排気誘導路面積をより大きく確保し、冷却性能を高めつつも、溢水性を保つことができ、内部部品および充電部の水濡れによる故障や感電、トラッキングを防止ことができる。
【００１６】
第３の発明は、特に第１の発明の前記浸水防壁の前記主壁端面に前記基板カバーと対向するように後方に伸びるフランジを設けたことにより、排気口から本体内へと侵入しようとする水は、浸水防壁の後方開口からは入ろうとするが、フランジに受け止められるため、主壁よりも前方に水が浸入しづらい構成とすることができる。また、指およびスプーン等の細長いものを排気口から入れても、フランジが主壁より前方に侵入するのを防ぐため、大電流が流れる加熱コイルなどの充電部に触れることを防ぐこともできる。
【００１７】
第４の発明は、特に第１の発明に、前記本体後方に、商用電源を入力とし制御回路に直流定電圧を供給するスイッチング電源基板をもつ電源基板ユニットを備え、前記浸水防壁の前記側壁は前記本体後面近くまで張り出し、前記電源基板ユニットが前記排気口から覗かれないように覆うように構成したことにより、排気口から電源基板ユニットへと水が浸入することを防止する効果を向上させることができる。また、排気口から電源基板ユニットに向けて指やスプーン等が入らない構成となり、充電部に触れないため感電を防ぐことができる。
【００１８】
第５の発明は、特に第４の発明の前記浸水防壁の前記側壁端部に前記本体後面に対向するようなフランジを設けたことにより、本体後面が本体内側に倒れるのを防止する効果も浸水防壁にもたせることができる。また、フランジがなければ側壁端部と本体後面との間を通って水が浸入してしまうが、フランジありでは、側壁とフランジにより囲われる構成になるため、排気口斜めから故意に水をかけた場合でも、電源基板ユニットへ浸水するには、フランジと本体後面の間を、通らなければならないため、電源基板ユニットへの浸水をより防ぐことができ、充電部が水濡れすることがないため、感電や故障等を防止することができる。
【００１９】
第６の発明は、特に第１の発明に、前記天板を支持するためのフレームを備え、前記フレームに前記排気口を設け、前記排気口を構成する際に形成されるフレームフランジの延長ラインよりも上に前記浸水防壁の前記後方開口の開口端を設けたことにより、排気口から勢いよく水を本体内にかけた場合であっても、後壁はフレームフランジの延長ラインより高いため、後壁を乗り越えて本体側に水が浸入するには、フレームフランジ延長ラインよりも上に水を浸入させなければならない。このため、水が後壁を乗り越えて本体側に浸入することを防ぎ、かつ、水がフレームフランジを伝って浸水防壁を越えて浸入することも防止するため、水濡れによる感電や故障を防ぐことができる。
【００２０】
第７の発明は、特に第１の発明の前記本体底面に、前記本体内の水を前記本体外に逃がすための水抜き穴を備え、前記浸水防壁の前記後壁に前記浸水防壁内の水を逃がすための切欠きを設けたことにより、浸水防壁内に水がたまり、前壁を乗り越えて、基板ベースカバー上面に溢れ出す前に、浸水防壁の切欠きによって、本体底面に水をおとし、本体底面に設けた水抜き穴によって本体外へと逃がすことができるため、大電流が流れる加熱コイル側へと水が浸入するおそれがないため、水濡れによる感電や故障を防ぐことができる。
【００２１】
以下、本発明の実施の形態について図面を参照しながら説明する。なお、この実施の形態によって本発明が限定されるものではない。
【００２２】
（実施の形態１）
図１は本発明の実施形態１における誘導加熱調理器の全体構成を示すものであり、図２は、実施の形態１における浸水防壁の要部構成図である。
【００２３】
本体１は金属を箱状に折り曲げ、上方に開口をもっており、本体１の上方開口を覆うように配される被加熱調理器具を載置する天板２と、天板２を本体１に設置するために天板２を支え、かつ接続するための穴を持つ金属製のフレーム３で構成されている。また、本発明の誘導加熱調理器は、天板２の下方に設けられた被加熱調理器具を加熱するための加熱コイル４を備え、本体１前方および加熱コイル４下方に設けられた加熱コイル４と制御基板５を冷却するための冷却ファン７が備えられており、本体１前方に設けられた吸気口８から冷却風が吸気され、加熱コイル４および加熱を制御する制御基板５等を冷却した後、本体１後方の天面上に設けられた排気口９から排気される構成としている。また、制御基板５は本体１内に基板保持部材１５により保持され、制御基板５上方には、基板カバー６が設置されており、基板カバー６は排気口９から浸入する水を本体内に流入することを防ぐための浸水防壁１６を取り付けるため、基板カバー６の後方排気口９側を基板カバー上面１３より低くして段差を設け、段壁２６と取付面２３を形成し、排気口９下方前方に配置する構成としている。
【００２４】
ここで、浸水防壁１６は図２で示されるように、左右方向かつ天板２およびフレーム３に当接しない程度の間隔を持たせた高さの浸水防壁上面２４から下方に向かって基板カバー６との間に所定の間隔を設けて突出し、主壁１７の端面は取付面２３と対向するように設けた主壁フランジ２５を形成している。また、主壁１７と主壁１７の前方に所定の間隔を設けて左右方向に垂直に対向した前壁１８と、加熱コイル４の冷却風を排気口９へと導風するために前壁１８に形成される前方開口１９と、主壁１７の後方に所定の間隔を設けて左右方向に垂直に対向した後壁２０と、前方開口１９から導風された冷却風が主壁フランジ２５と基板カバー６の取付面２３との間の所定の間隔を通過し、排気口９へと排出す
るための後壁２０に形成される後方開口２１と、主壁１７の左右端部の少なくとも一方と所定の間隔を設けて前後方向に形成される側壁２２とで箱状に構成され、基板カバー６の取付面２３に取り付けられ、排気口９下方前方に配置されるようになっている。
【００２５】
上記構成にすることにより、図１に示されるように、基板カバー６上に設けられた浸水防壁１６を排気口９下方前方に配置したことにより、本体天面上に設けられた排気口９から水が浸入した際でも、浸水防壁１６の主壁１７により水が本体内に流入することを防止するため、内部部品および充電部の水濡れによる故障や感電、トラッキングを防ぐことができる。また、浸水防壁１６の主壁１７左右端部の少なくともどちらか一方と側壁２２との間に所定の間隔を設け、さらに、主壁フランジ２５と基板カバーの取付面２３との間にも所定の間隔を設けることで、前方開口１９から導風された加熱コイル４を冷却した冷却風の排気誘導路面積を大きく確保することができ、加熱コイル４の冷却風排気を円滑にすることができるため、冷却効率も高めることができる。
【００２６】
また、基板カバー６の排気口９側後方を、基板カバー上面１３よりも低くし、段壁２６と浸水防壁１６の取付面２３を形成したことで、主壁１７の高さは変えずとも、浸水防壁１６の主壁フランジ２５と基板カバー６との間の間隔をさらに大きくすることができる。また、主壁フランジ２５と基板カバー上面１３を同じ高さ位置にすることで、加熱コイル４の排気誘導路面積をより大きく確保し、冷却性能を高めつつも、主壁１７と段壁２６を越えて本体１側へ水を浸入させなければ、大電流の流れる加熱コイル４などに水届かないため、優れた溢水性をもち、内部部品および充電部の水濡れによる故障や感電、トラッキングを防止ことができる。
【００２７】
さらに、浸水防壁１６の主壁下方端面に、主壁フランジ２５を設けたことで、排気口９から本体１内へと浸入しようとする水は、浸水防壁１６の後方開口２１から入ろうとするが、主壁フランジ２５に受け止められるため、主壁フランジ２５がない場合よりも、主壁１７よりも本体前方に水が浸入しづらい構成とすることができる。また、指およびスプーン等の細長いものを排気口９から入れても、主壁フランジ２５が主壁１７より前方に侵入するのを防ぐため、大電流が流れる加熱コイル４などの充電部に触れることを防ぐこともできる。
【００２８】
以上のように、冷却性能と溢水性能とを両立した信頼性の高い誘導加熱調理器を提供することができる。
【００２９】
（実施の形態２）
図３は本発明の実施形態２における誘導加熱調理器の要部構成図を示すものである。
【００３０】
本実施の形態では、本発明の実施の形態１に、商用電源を入力とし制御回路等に直流定電圧を供給するスイッチング電源基板２８をもつ電源基板ユニット２９を本体後方に備え、浸水防壁１６の側壁２２は本体後面に隙間をもって張り出し、電源基板ユニット２９が排気口９から覗かないように覆うように構成し、さらに、浸水防壁１６の側壁２２端部に本体後面に対向するような側壁フランジ３０を設けた点において異なっている。その他は実施の形態１と同様であるため、説明を省略する。
【００３１】
上記構成にすることにより、排気口９から電源基板ユニット２９へと水が浸入することを防止する効果を向上させることができ、また、排気口９から電源基板ユニット２９に向けて指やスプーン等が入らない構成となり、充電部に触れないため感電を防ぐことができる。さらに、側壁フランジ３０を設けたことにより、本体後面が本体内側に倒れるのを防止する効果を浸水防壁１６にもたせることができる。また、側壁フランジ３０がなければ側壁２２端部と本体後面との間を通って水が浸入してしまうが、フランジありでは、側壁
２２と側壁フランジ３０により囲われる構成になるため、排気口９斜めから故意に水をかけた場合でも、電源基板ユニット２９へ浸水するには、側壁フランジ３０と本体後面の間を、通らなければならないため、電源基板ユニット２９への浸水をより防ぐことができ、充電部が水濡れすることがないため、感電や故障等を防止することができ、信頼性の高いものへとすることができる。
【００３２】
（実施の形態３）
図４は本発明の実施形態３における誘導加熱調理器後方の断面図を示すものである。
【００３３】
本実施の形態では、実施の形態１のフレーム３に排気口９を設け、排気口９を構成する際に形成されるフレームフランジ３１の延長ラインよりも上に後壁２０に形成される後方開口２１の開口端を設けた。その他は実施の形態１と同様であるため、説明を省略する。
【００３４】
上記構成にすることにより、排気口９から勢いよく水を本体内にかけた場合であっても、後方開口２１の開口端はフレームフランジ３１の延長ラインより高いため、後壁２０を乗り越えて本体側に水が浸入するには、フレームフランジ３１延長ラインよりも上に水を浸入させなければならない。このため、水が後壁２０を乗り越えて後方開口２１から本体側に浸入することを防ぎ、かつ、水がフレームフランジ３１を伝って浸水防壁１６を越えて浸入することも防止するため、水濡れによる感電や故障を防ぐことができる。
【００３５】
（実施の形態４）
図５は本発明の実施形態４における誘導加熱調理器の浸水防壁の断面図を示すものである。
【００３６】
本実施の形態では、実施の形態１の本体１底面に本体内の水を本体外に逃がすための水抜き穴３２を備え、浸水防壁１６の後壁２０に浸水防壁内の水を逃がすための、切欠き３３を設けた。その他は実施の形態１と同様であるため、説明を省略する。
【００３７】
上記構成にすることにより、浸水防壁１６内に水がたまり、前壁１８を乗り越えて、基板カバー上面１３に溢れ出す前に、浸水防壁１６の後壁２０に設けられた切欠き３３によって、本体１底面に水をおとし、本体１底面に設けた水抜き穴３２によって本体外へと逃がすことができるため、大電流が流れる加熱コイル４側へと水が浸入するおそれがないため、水濡れによる感電や故障を防ぐことができる。
【産業上の利用可能性】
【００３８】
以上のように、本発明にかかる誘導加熱調理器は、内部部品および充電部の水濡れによる故障や感電、トラッキングを防ぐことができ、かつ、浸水防壁は排気誘導路を確保しているので、家庭用あるいは業務用の誘導加熱調理機器等の用途に適用できる。
【符号の説明】
【００３９】
１  本体
２  天板
３  フレーム
４  加熱コイル
５  制御基板
６  基板カバー
７  冷却ファン
８  吸気口
９  排気口
１０  立壁
１１  流し台
１２  箱部
１３  基板カバー上面
１４  支持体
１５  基板保持部材
１６  浸水防壁
１７  主壁
１８  前壁
１９  前方開口
２０  後壁
２１  後方開口
２２  側壁
２３  取付面（浸水防壁取付面）
２４  浸水防壁上面
２５  主壁フランジ
２６  段壁
２８  スイッチング電源基板
２９  電源基板ユニット
３０  側壁フランジ
３１  フレームフランジ
３２  水抜き穴
３３  切欠き
【図１】
0005609303.tif 000002
【図２】
0005609303.tif 000003
【図３】
0005609303.tif 000004
【図４】
0005609303.tif 000005
【図５】
0005609303.tif 000006
【図６】
0005609303.tif 000007
【図７】
0005609303.tif 000008
【図８】
0005609303.tif 000009